(57)【要約】      （修正有）【課題】商品陳列棚へのモニタの取付を工夫し、落下を防止しつつ、一層、商品の宣伝広告機能を向上させた告知表示装置の提供。【構成】本告知表示装置は、所定場所に設置された商品陳列台１の所定位置に取付ける取付部３５と、該取付部３５の前側に伸縮自在に設けた伸縮アーム２５と、該伸縮アーム２５の前側に設けたモニタ１６を有するモニタ部１７とを有する。モニタ部１７は、取付部材により前記伸縮アーム２５に対して上下・左右に首振するように取付ける。伸縮アーム２５は、前記商品陳列台１の商品陳列用枠４の係合フック８の先端位置に合うように伸縮するように構成する。【選択図】図２
0003114172.tif 000002
【実用新案登録請求の範囲】
【請求項１】
所定場所に設置された商品陳列台１の所定位置に取付ける取付部３５と、該取付部３５の前側に伸縮自在に設けた伸縮アーム２５と、該伸縮アーム２５の前側に設けたモニタ１６を有するモニタ部１７とから構成した告知表示装置。
【請求項２】
請求項１において、前記モニタ部１７は、取付部材２６により前記伸縮アーム２５に対して上下・左右に首振するように取付けた告知表示装置。
【請求項３】
請求項１または請求項２において、前記伸縮アーム２５は、前記商品陳列台１の商品陳列用枠４の係合フック８の先端位置に合うように伸縮するように構成した告知表示装置。
【請求項４】
請求項１または請求項２または請求項３において、前記伸縮アーム２５は、角筒形状の先端アーム２７と基部アーム２８を互いに摺動のみ自在に嵌合させ、先端アーム２７と基部アーム２８の何れか一方に案内溝３２を、何れか他方に案内溝３２に係合して先端アーム２７の伸縮を案内し且つ固定するツマミ３１を設けた告知表示装置。
【請求項５】
請求項１または請求項２または請求項３または請求項４において、前記取付部３５は、商品陳列台１の所定位置に上方から係合する下向き「コ」の字形状の上部フック上部フック３６と、該上部フック３６の下方に螺合させて設けた固定用螺子３７とにより構成した告知表示装置。
【請求項６】
請求項１または請求項２または請求項３または請求項４または請求項５において、前記伸縮アーム２５内には、前記モニタ部１７の電源コード等のハーネス部材３３を挿通させた告知表示装置。
【考案の詳細な説明】
【技術分野】
【０００１】
本考案は、商品を展示・陳列する商品陳列台に設ける告知表示装置に係るものである。
【背景技術】
【０００２】
従来、モニタを内蔵したケースに商品陳列棚に固定する取付固定具を設けた構成は公知である（特許文献１参照）。
【特許文献１】特開平７−１３４５５５号公報
【考案の開示】
【考案が解決しようとする課題】
【０００３】
前記公知例は、モニタをケースに内蔵し、このケースを取付固定具により商品陳列棚に固定するので、構造が複雑であるという課題がある。また、取付固定具は逆Ｕ型形状に形成して陳列棚の前側に上方から引っ掛ける構成のためケースに下から力が加わると、取付固定具と商品陳列棚との取付部分が外れてケースが落下する惧れがあるという課題がある。
本願は、商品陳列棚へのモニタの取付を工夫し、落下を防止しつつ、一層、商品の宣伝広告機能を向上させたものである。
【課題を解決するための手段】
【０００４】
本考案は、所定場所に設置された商品陳列台１の所定位置に取付ける取付部３５と、該取付部３５の前側に伸縮自在に設けた伸縮アーム２５と、該伸縮アーム２５の前側に設けたモニタ１６を有するモニタ部１７とから構成した告知表示装置としたものである。
本考案は、前記モニタ部１７は、取付部材２６により前記伸縮アーム２５に対して上下・左右に首振するように取付けた告知表示装置としたものである。
本考案は、前記伸縮アーム２５は、前記商品陳列台１の商品陳列用枠４の係合フック８の先端位置に合うように伸縮するように構成した告知表示装置としたものである。
本考案は、前記伸縮アーム２５は、角筒形状の先端アーム２７と基部アーム２８を互いに摺動のみ自在に嵌合させ、先端アーム２７と基部アーム２８の何れか一方に案内溝３２を、何れか他方に案内溝３２に係合して先端アーム２７の伸縮を案内し且つ固定するツマミ３１を設けた告知表示装置としたものである。
本考案は、前記取付部３５は、商品陳列台１の所定位置に上方から係合する下向き「コ」の字形状の上部フック上部フック３６と、該上部フック３６の下方に螺合させて設けた固定用螺子３７とにより構成した告知表示装置としたものである。
本考案は、前記伸縮アーム２５内には、前記モニタ部１７の電源コード等のハーネス部材３３を挿通させた告知表示装置としたものである。
【考案の効果】
【０００５】
請求項１の考案では、伸縮する伸縮アーム２５により、モニタ部１７と商品Ｓが互いに影にならない配置に取付けることができ、商品陳列台１への取付および商品の陳列・取出への支障はなく、宣伝広告機能を向上させることができる。
請求項２の考案では、購買者の目線にあった位置にモニタ部１７と商品Ｓを配置でき、宣伝広告機能を向上させることができる。
請求項３の考案では、伸縮する伸縮アーム２５により、モニタ部１７を係合フック８の先端の商品Ｓと並べて配置でき、購買者の注意を惹起できる。
請求項４の考案では、伸縮アーム２５を簡素な構成で、かつ、モニタ部１７の重量を確実に支持できる。
請求項５の考案では、上部フック３６と固定用螺子３７により商品陳列台１の所定箇所を上下から挟持するから、商品陳列台１から外れるのを防止できる。
請求項６の考案では、モニタ１６の電源コード等のハーネス部材３３を伸縮アーム２５内に挿通させてるので、断線等の故障の原因を除去すると共に、外観を向上させる。
【実施例１】
【０００６】
本考案の実施例を図により説明すると、１は店内に設置されている商品陳列台であり、商品陳列台１は一対の支柱２に係合孔３を上下に並設し、該係合孔３に商品陳列用枠４の腕部５の係合部６を着脱自在に係合させて構成している。
前記腕部５の先端は前枠７により連結し、前枠７には前方（手前側）に突き出るように係合フック８を左右に所定間隔おいて複数並設する。係合フック８は軸棒形状に形成し、商品（カバー）Ｓの上部の挿通孔９を挿通して陳列する。
【０００７】
しかして、前記商品陳列用枠４には、前記商品陳列用枠４に陳列されている商品名・使用方法・効能等を表示する告知表示装置１５を取付ける。
告知表示装置１５は、映像情報および／または音声情報を提供するモニタ（例えば、液晶テレビ等）１６を有するモニタ部１７を有して構成する。モニタ部１７は、ケース１８内にモニタ１６を内蔵し、ケース１８の前面には静止画像用又はテレビ画像を表示する前記モニタ１６の画面部１９の大きさに合わせた窓孔部２０を形成する。モニタ１６は、商品陳列用枠４に陳列した商品の使用方法・使用時期等を映像により表示して、消費者の購買意欲を刺激するように、宣伝広告を告知する。
【０００８】
また、ケース１８にはモニタ１６とは別にスピーカー２１を設けて、モニタ１６で流す音量が小さいときに使用するようにしてもよい。
前記ケース１８には伸縮アーム２５を取付ける。伸縮アーム２５の構成は任意であるが、チャンネル形状または筒形状の先端アーム２７の先端を取付部材２６により前記ケース１８に取付け、モニタ１６（モニタ部１７）が上下・左右に首振するように取付ける。取付部材２６の構成は任意であり、蝶番や球形状の係合部と凹溝形状の嵌合部との嵌め合い構造でもよい。
【０００９】
先端アーム２７の基部側には基部アーム２８を互いに重なるように挿入させる。先端アーム２７には螺子孔３０を形成し、螺子孔３０にはツマミ３１を螺合させる。ツマミ３１は基部アーム２８の案内溝３２に挿通し、先端アーム２７の伸縮を案内すると共に、所望位置にて先端アーム２７と基部アーム２８とを固定する。
【００１０】
この場合、先端アーム２７および基部アーム２８は四角筒形状に形成すると、変形を抑制し、支持強度を向上させて好適である。
また、伸縮アーム２５の先端アーム２７および基部アーム２８内にはモニタ部１７の電源コード等のハーネス部材３３を挿通させる。３４は、モニタ１６の映像情報を記録したメモリカードである。
【００１１】
しかして、基部アーム２８には取付部３５を設ける。取付部３５の構成も任意であるが、前記商品陳列用枠４に上方から係合する下向き「コ」の字形状の上部フック３６の下方に固定用螺子３７を螺合させて構成し、上部フック３６と固定用螺子３７により商品陳列用枠４を挟持する。
【００１２】
また、図８は、商品陳列台１の他の実施例であり、上下に複数の陳列棚４０を設け、陳列棚４０の一方側また両側にメッシュ（網体・ネット）４１を設け、メッシュ４１に告知表示装置１５を取付ける。
【００１３】
次に実施例の作用を述べる。
店内に設置されている商品陳列台１の商品陳列用枠４に、告知表示装置１５の取付部３５の上部フック３６を引っ掛け、固定用螺子３７の先端を商品陳列用枠４の下面に押し付けると、告知表示装置１５の取付部３５が商品陳列用枠４に取付けられる。
【００１４】
次に、伸縮アーム２５のツマミ３１を弛めて、基部アーム２８に対して先端アーム２７を伸縮させ、ケース１８を商品陳列用枠４の係合フック８の先端位置に合わせ、次に、ツマミ３１を締めて伸縮アーム２５を固定させる。
次に、ケース１８の角度を、商品陳列台１の商品陳列用枠４に取付位置に合わせて、購買者の目線に合わせる。
【００１５】
次に、商品陳列用枠４に所望の商品を吊り下げ、モニタ部１７のモニタ１６に当該商品に関する映像情報を表示し、および、音声情報を流す。
したがって、消費者（購買者）は、モニタ部１７のモニタ１６の映像情報により当該商品に関する情報を知ることができ、一々店員に説明を求める煩雑さを解消して、宣伝公告効果を発揮し、購買意欲を刺激できる。
【００１６】
しかして、告知表示装置１５は、商品陳列台１の商品陳列用枠４に取付けられるから、上下に並設した商品陳列用枠４のうち所望位置に取付けて、商品陳列台１に陳列した商品Ｓの情報を告知するので、商品陳列台１の商品Ｓの注目度の高いレイアウトにすることができる。
【００１７】
即ち、毛染め剤のように、同一商品でありながら複数の種類を有する商品では、単に使用目的のみによって商品選択するのは難しく、使用方法や使用結果等の詳細な情報の存在が商品選択を容易にし、これが購買意欲を刺激するので、本願のように、一つの商品陳列台１の各段の商品陳列用枠４に商品Ｓを陳列し、各商品陳列用枠４に告知表示装置１５を設けると、各商品Ｓの相違を簡単に情報提供でき、購買者の商品Ｓ選択を容易にして、購買意欲を刺激できる。
【００１８】
また、商品陳列台１に告知表示装置１５を一つまたは複数設置することで、商品陳列台１の陳列したどの商品も同一メーカーの商品と簡単に認知させることができ、商品の種類や商品陳列用枠４のスペース等のあらゆる条件に応じた告知表示装置１５の使用態様の汎用性を広げられる。
【００１９】
この場合、各店舗によって、商品陳列台１の大きさが相違し、特に、商品陳列用枠４の係合フック８の長さが相違するが、告知表示装置１５は、伸縮アーム２５を介してモニタ部１７を商品陳列台１に取付けられるから、告知表示装置１５の位置を夫々の商品陳列台１に対応した最適な場所に配置できる。
【００２０】
しかして、告知表示装置１５は、ケース１８にモニタ１６とは別個にスピーカー２１を設けているから、モニタ１６から流れる音量が小さいとき、音声情報をスピーカー２１から流すことで、補助できる。
【００２１】
また、伸縮アーム２５は、先端アーム２７および基部アーム２８を角筒形状に形成しているから、モニタ１６の電源コード等のハーネス部材３３を伸縮アーム２５内に挿通させることができ、断線等の故障の原因を除去すると共に、外観を向上させる。
【図面の簡単な説明】
【００２２】
【図１】陳列台の斜視図。
【図２】告知表示装置の斜視図。
【図３】同分解図。
【図４】伸縮アームを縮めた状態の側面図。
【図５】伸縮アームを伸ばした状態の側面図。
【図６】モニタ部の他の実施例の斜視図。
【図７】取付部の取付け状態断面図。
【図８】告知表示装置を取付ける商品陳列台の他の実施例の斜視図。
【符号の説明】
【００２３】
１…商品陳列台、２…支柱、３…係合孔、４…商品陳列用枠、５…腕部、６…係合部、７…前枠、８…係合フック、９…挿通孔、１５…告知表示体、１６…モニタ、１７…モニタ部、１８…ケース、１９…画面部、２０…窓孔部、２１…スピーカー、２５…伸縮アーム、２６…取付部材、２７…先端アーム、２８…基部アーム、３０…螺子孔、３１…ツマミ、３２…案内溝、３３…ハーネス部材、３５…取付部、３６…上部フック、３７…固定用螺子、４０…陳列棚、４１…メッシュ。
【図１】
0003114172.tif 000003
【図２】
0003114172.tif 000004
【図３】
0003114172.tif 000005
【図４】
0003114172.tif 000006
【図５】
0003114172.tif 000007
【図６】
0003114172.tif 000008
【図７】
0003114172.tif 000009
【図８】
0003114172.tif 000010